(57)【要約】  本発明は、ＯＳＤ処理を行う処理部を用いて色むらを補正しつつ投射画面の台形歪を補正する簡易な構成のプロジェクタを提供することを目的とし、ＯＳＤデータと、色むらを補正する色むら補正データと、を保持するメモリと、ＯＳＤデータを映像信号に合成するＯＳＤ処理を行う処理部と、を有するプロジェクタにおいて、台形歪補正部は、台形歪補正パラメータを受け付けると、台形歪補正パラメータに応じて色むら補正データに補正処理を行って歪補正用の色むら補正データとしてメモリに記録する。映像信号を受け付けると処理部は、歪補正用の補正データを映像信号に合成し、その映像信号に台形歪補正部が、台形歪補正パラメータを用いて台形歪補正を行う。
2012160691.tif 000002
【特許請求の範囲】
【請求項１】
ＯＳＤ処理を行うためのＯＳＤデータと、色むらを補正するための第１の補正データと、を保持する保持手段と、
投射画面の台形歪を補正するための歪補正パラメータを受け付けると、前記保持手段に保持された第１の補正データに該歪補正パラメータに応じて補正処理を行って第２の補正データとして前記保持手段に記録し、前記歪補正パラメータを用いて映像信号に台形歪補正を行う歪処理手段と、
前記映像信号を受け付けると、前記第２の補正データを該映像信号に合成し、前記ＯＳＤ処理の実行の指示を受け付けると、前記保持手段に保持されたＯＳＤデータを前記映像信号に合成する合成処理手段と、を含むプロジェクタ。
【請求項２】
請求項１に記載のプロジェクタにおいて、
前記保持手段は、前記映像信号のレベルごとに前記第１の補正データを保持し、
前記歪処理手段は、前記歪補正パラメータを受け付けると、前記第１の補正データのそれぞれに前記歪補正パラメータに応じて前記補正処理を行って前記第２の補正データとしてそれぞれ前記保持手段に記録し、
前記合成処理手段は、
前記映像信号のレベルを検出する検出手段と、
前記映像信号を受け付けると、前記第２の補正データのうち、前記検出手段が検出した映像信号のレベルに応じた第２の補正データを該映像信号に合成する合成手段と、を含む、プロジェクタ。
【請求項３】
請求項１または２に記載のプロジェクタにおいて、
前記歪処理手段は、前記歪補正パラメータを受け付けると、該歪補正パラメータを用いて前記台形歪補正を行い、該歪補正パラメータの逆数を用いて前記補正処理を行う、プロジェクタ。
【請求項４】
請求項１から３項のいずれか１項に記載のプロジェクタにおいて、
前記合成処理手段は、前記映像信号を受け付けると、前記第２の補正データを前記映像信号に乗算し、前記ＯＳＤ処理の実行の指示を受け付けると、前記ＯＳＤデータを前記映像信号に加算する、プロジェクタ。
【請求項５】
プロジェクタが行う補正方法であって、
ＯＳＤ処理を行うためのＯＳＤデータと、色むらを補正するための第１の補正データと、を保持手段に保持し、
投射画面の台形歪を補正するための歪補正パラメータを受け付けると、前記保持手段に保持された第１の補正データを該歪補正パラメータに応じて補正処理を行って第２の補正データとして前記保持手段に記録し、
映像信号を受け付けると、前記第２の補正データを前記映像信号に合成し、前記合成された映像信号に前記歪補正パラメータを用いて台形歪補正を行い、前記ＯＳＤ処理の実行の指示を受け付けると、前記保持手段に保持されたＯＳＤデータを前記映像信号に合成する、補正方法。
【請求項６】
請求項５に記載の補正方法において、
前記補正データを前記保持手段に保持することは、
前記映像信号のレベルごとに前記第１の補正データを前記保持手段に保持することを含み、
前記第１の補正データに前記補正処理をすることは、
前記保持手段に保持された第１の補正データのそれぞれに前記歪補正パラメータを用いて前記補正処理を行って前記第２の補正データとしてそれぞれ前記保持手段に記録することを含み、
前記第２の補正データを前記映像信号に合成することは、
前記映像信号を受け付けると、該映像信号のレベルを検出し、前記第２の補正データのうち、前記検出したレベルに応じた第２の補正データを該映像信号に合成することを含む、補正方法。
【発明の詳細な説明】
【技術分野】
【０００１】
本発明は、プロジェクタおよび処理方法に関し、特には、ＯＳＤ処理と色むら補正と台形歪補正とを行うプロジェクタおよび処理方法に関する。
【背景技術】
【０００２】
特許文献１には、色むらを補正するプロジェクタが記載されている。特許文献１に記載のプロジェクタは、表示画面の輝度レベルから求めた色むら補正データを保持するメモリと、表示画面に光を投射するための光学系と、液晶パネルのＶ―Ｔ特性を補正する補正回路と、を備えている。液晶パネルのＶ−Ｔ特性とは、映像信号の振幅（Ｖ）に応じた光の透過率（Ｔ）の特性のことであり、補正回路は、Ｖ―Ｔ特性がリニアリティを持つように補正する。【０００３】
特許文献１に記載のプロジェクタは、映像信号を受け付けると、補正回路を用いて映像信号を補正し、その映像信号にメモリに保持された色むら補正データを加算する。【０００４】
よって、液晶パネルや光学系に起因する画面の色むらを補正することができる。プロジェクタから、スクリーンに光が投射される投射画面の上下または左右の両端のそれぞれの光路長に差が生じている状況でプロジェクタが使用されると、投射画面に台形歪が生じてしまう。これに対し、色むらを補正すると共に投射画面の台形歪を補正するプロジェクタも存在する。【０００５】
図１は、色むら補正と台形歪補正とを行うプロジェクタの構成例を示すブロック図である。プロジェクタ９０では、ＯＳＤ（On Screen Display）処理が行われる。ＯＳＤ処理とは、画面に表示されている映像に、例えば画面の明るさやコントラスト量を表すＯＳＤデータを合成する処理のことである。【０００６】
プロジェクタ９０は、ＯＳＤデータを保持するメモリ９７と、映像信号を受け付け、映像信号に解像度変換などの映像処理を行う映像処理部９１と、映像処理が行われた映像データにＯＳＤデータを合成するＯＳＤ合成部９２と、投射画面の台形歪みを補正する台形歪補正部９３と、色むら補正データを有し、液晶パネルや光学系の面内の不均一性に起因する色むらを補正する色むら補正部９４と、ユーザ操作によりＯＳＤ処理の実行指示を受け付けると、データ選択器９５を制御して、メモリ９７に保持されたＯＳＤデータをデータ選択器９５からＯＳＤ合成部９２に出力させるＣＰＵ９６と、を備えている。【０００７】
プロジェクタ９０では、ＯＳＤ処理の実行指示を受け付けると、ＯＳＤ合成部９２は、データ選択器９５からＯＳＤデータを受け付け、映像処理部９１にて映像処理が行われた映像データにＯＳＤデータを合成し、その映像データを台形歪補正部９３に供給する。【０００８】
台形歪補正部９３は、ＯＳＤ合成部９２から映像データを受け付けると、その映像データに台形歪補正を行い、その後に色むら補正部９４が、台形歪補正が行われた映像データに色むら補正データを合成して色むら補正を行う。よって、プロジェクタ９０は、液晶パネルなどに起因する色むらを補正すると共に投射画面の台形歪を補正することができる。【０００９】
プロジェクタ９０では、色むら補正部９４を不要とする簡易な構成となるように、ＯＳＤ合成部９２を用いて映像データに色むら補正データを合成することも可能である。しかしながら、ＯＳＤ合成部９２が映像データに色むら補正をした場合には、その後に台形歪補正部９３が、色むら補正後の映像データに台形歪補正を行うことになるので、色むら補正が適切に行われない。その理由について図２ａ〜図２ｃを参照して説明する。【００１０】
図２ａは、液晶パネルに起因する色むらの一例を示す図である。図２ａには、映像信号に示された映像内の全面が同一色の映像がプロジェクタ９０からスクリーンに投射されたときの投射画面が示されている。図２ａには、水平方向に現れている色むらがそれぞれ異なる縞模様で示されている。【００１１】
図２ｂは、図２ａに示した色むらを補正する色むら補正データを示す図である。図２ａに示した異なる色むらの領域ごとにそれぞれ異なる色むら補正データを用意し、各領域に異なる色むら補正データを用いて映像信号に色むら補正を行う。これにより、投射画面には、映像信号に示された全面が同一色の本来の映像が再現されることになる。【００１２】
図２ｃは、図２ｂに示した色むら補正データに台形歪補正が行われた色むら補正データを示す図である。図２ｃでは、台形歪補正部９３が、台形に歪んだ投射画面の下底をＸａのままにし、上底をＸａからＸｂに縮小する台形歪補正を行う。【００１３】
ＯＳＤ合成部９２を用いて映像データに色むら補正を行い、その映像データに台形歪補正を行う場合において、図２ａに示した色むらを補正するには、本来、台形歪補正後の色むら補正データは、図２ｂに示した色むら補正データと同じでなければならない。しかしながら、映像データに台形歪補正が行われる前にＯＳＤ合成部９２が色むら補正を行うので、図２ｂに示した色むら補正データが、台形歪補正部９３により、図２ｃに示した色むら補正データに変換されてしまい、色むら補正が適切に行われなくなる。【００１４】
よって、プロジェクタ９０では、色むら補正部９４を設けることなく、ＯＳＤ合成部９２を用いて映像データに色むら補正を行い、プロジェクタを簡易な構成にすることは困難であった。
【先行技術文献】
【特許文献】
【００１５】
【特許文献１】特開平１０−８４５５１号公報
【発明の概要】
【発明が解決しようとする課題】
【００１６】
特許文献１に記載のプロジェクタでは、映像信号に液晶パネルや光学系に起因する色むらを補正した後に、補正後の映像信号に台形歪補正を行うことも可能である。しかしながら、色むら補正をした後の映像データに台形歪補正が行われると、例えば、図２ｂに示した色むら補正データが、図２ｃに示した色むら補正データに変換されてしまい、色むら補正が適切に行われないという問題があった。【００１７】
また、図１に示したプロジェクタ９０では、プロジェクタが簡易な構成となるように、色むら補正部９４を設けることなく、ＯＳＤ合成部９２を用いて映像データに色むら補正を行うことも可能である。しかしながら、ＯＳＤ合成部９２で行われるＯＳＤ処理は、台形歪補正処理よりも前に行われるので、ＯＳＤ合成部９２を用いて映像信号に色むら補正が行われると、色むら補正後の映像信号に台形歪補正が行われることになり、色むら補正が適切に行われない。【００１８】
このため、ＯＳＤ処理を行う処理部を用いて映像信号に色むら補正を行い、その映像信号に台形歪補正を行う簡易な構成のプロジェクタを実現することは困難であった。【００１９】
本発明の目的は、ＯＳＤ処理を行う処理部を用いて色むらを補正しつつ投射画面の台形歪を補正することが可能な簡易な構成のプロジェクタおよび処理方法を提供することにある。
【課題を解決するための手段】
【００２０】
本発明のプロジェクタは、ＯＳＤ処理を行うためのＯＳＤデータと、色むらを補正するための第１の補正データと、を保持する保持手段と、投射画面の台形歪を補正するための歪補正パラメータを受け付けると、前記保持手段に保持された第１の補正データに該歪補正パラメータに応じて補正処理を行って第２の補正データとして前記保持手段に記録し、前記歪補正パラメータを用いて映像信号に台形歪補正を行う歪処理手段と、前記映像信号を受け付けると、前記第２の補正データを該映像信号に合成し、前記ＯＳＤ処理の実行の指示を受け付けると、前記保持手段に保持されたＯＳＤデータを前記映像信号に合成する合成処理手段と、を含む。【００２１】
本発明の補正方法は、プロジェクタが行う補正方法であって、ＯＳＤ処理を行うためのＯＳＤデータと、色むらを補正するための第１の補正データと、を保持手段に保持し、投射画面の台形歪を補正するための歪補正パラメータを受け付けると、前記保持手段に保持された第１の補正データを該歪補正パラメータに応じて補正処理を行って第２の補正データとして前記保持手段に記録し、映像信号を受け付けると、前記第２の補正データを前記映像信号に合成し、前記合成された映像信号に前記歪補正パラメータを用いて台形歪補正を行い、前記ＯＳＤ処理の実行の指示を受け付けると、前記保持手段に保持されたＯＳＤデータを前記映像信号に合成する。
【発明の効果】
【００２２】
本発明によれば、ＯＳＤ処理を行う処理部を用いて色むらを補正しつつ投射画面の台形歪を補正する簡易な構成のプロジェクタを提供することが可能となる。
【図面の簡単な説明】
【００２３】
【図１】ＯＳＤ処理と台形歪補正と色むら補正とを行うプロジェクタを示すブロック図である。
【図２ａ】液晶パネルに起因する色むらを表す図である。
【図２ｂ】図２ａに示した色むらを補正する色むら補正データを示す図である。
【図２ｃ】台形歪補正が行われた色むら補正データを示す図である。
【図３】本発明の実施形態におけるプロジェクタを示すブロック図である。
【図４】メモリに保持される色むら補正データの一例を示す図である。
【図５ａ】逆補正処理が行われた色むら補正データを示す図である。
【図５ｂ】逆補正処理後の色むら補正データから生成された歪補正用の色むら補正データを示す図である。
【図５ｃ】台形歪補正が行われた歪補正用の色むら補正データを示す図である。
【図６】ＯＳＤ処理を行う処理部の構成を示すブロック図である。
【図７】アルファ演算器の詳細構成を示す図である。
【図８】アルファ演算器を用いて色むら補正を行う処理部を示す図である。
【図９】色むら補正データの処理方法を示すフローチャートである。
【発明を実施するための形態】
【００２４】
以下、本発明の実施形態について図面を参照して説明する。
【００２５】
図３は、本実施形態におけるプロジェクタの構成を示すブロック図である。
【００２６】
プロジェクタ１は、ＯＳＤ処理と色むら補正と台形歪補正とを行う投射型表示装置である。プロジェクタ１では、ユーザ操作により、例えば、投射画面のコントラスト量を調整するために、ＯＳＤ（On Screen Display）処理の実行の指示が入力される。また、投射画面の台形歪みを補正するための台形歪補正パラメータが入力される。台形歪補正パラメータは、例えば、投射画面の大きさの基準となる基準値に対して投射画面の上底と下底を縮小または拡張する比率を示す。
【００２７】
本実施形態では、プロジェクタ１は、処理部１０と、台形歪補正部４０と、光源５１と、表示部５２と、メモリ７０と、を備える。処理部１０は、映像処理部１１と、レベル検出部１２と、合成部２０と、データ選択器２１と、ＣＰＵ（Central Processing Unit）３０と、処理選択器３１と、を備える。
【００２８】
メモリ７０は、一般的に保持手段と呼ぶことができる。
【００２９】
メモリ７０は、ＯＳＤ処理を行うためのＯＳＤデータ７１と、表示部５２に起因する色むらを補正するための色むら補正データ７２と、を保持する。ＯＳＤデータ７１は、例えば、画面のコントラスト量を表示するためのデータである。
【００３０】
色むら補正データ７２には、例えば、映像信号に示される画素（ピクセル）のそれぞれの補正値が示されている。例えば、図２ａに示した液晶パネルに起因する色むらを補正する場合にはメモリ７０に、図２ｂに示した色むら補正データ７２が保持される。なお、色むら補正データ７２は、第１の補正データと呼ぶことができる。また、メモリ７０内の保持領域７５に記憶されたデータは、データ選択器２１に入力される。
【００３１】
本実施形態では、メモリ７０は、色むら補正データ７２として映像信号のレベルごとに色むら補正データを保持する。
【００３２】
図４は、メモリ７０に保持される色むら補正データの一例を示す図である。
【００３３】
メモリ７０には、色むら補正データ７２として、映像信号の階調レンジが複数に分けられた分割レンジごとに適した色むらデータ１〜４が予め保持されている。
【００３４】
ＣＰＵ３０は、データ選択器２１と処理選択器３１とメモリ７０とを制御するコンピュータである。
【００３５】
ＣＰＵ３０は、ユーザ操作により入力された台形歪補正パラメータを受け付けると、色むら補正データ７２への逆補正処理の実行を指示する逆補正指示信号を処理選択器３１に供給する。ＣＰＵ３０から逆補正指示信号を受け付けると処理選択器３１は、データ選択器２１からの色むら補正データ７２を台形歪補正部４０に供給する。
【００３６】
また、ＣＰＵ３０は、台形歪補正パラメータを受け付けると、色むら補正データ７２を指定する色むら選択信号をデータ選択器２１に供給する。例えば、ＣＰＵ３０は、色むら補正データ７２の色むらデータ１〜４の中から１ずつ順番に色むらデータを指定する色むら選択信号をデータ選択器２１に供給する。ＣＰＵ３０から色むら選択信号を受け付けるとデータ選択器２１は、色むら選択信号にて指定された色むら補正データ７２を処理選択器３１に出力する。
【００３７】
さらに、ＣＰＵ３０は、台形歪補正パラメータを受け付けると、その台形歪パラメータを台形歪補正部４０に供給する。なお、ＣＰＵ３０は、台形歪補正パラメータを受け付けると、その台形歪補正パラメータの逆数を、逆補正処理用の台形歪補正パラメータとして台形歪補正部４０に供給してもよい。
【００３８】
台形歪補正部４０は、一般的に歪処理手段と呼ぶことができる。
【００３９】
台形歪補正部４０は、ＣＰＵ３０から台形歪補正パラメータを受け付けると、台形歪補正パラメータを用いて映像信号に台形歪補正を行う。例えば、台形歪補正部４０は、映像信号に示された映像の上底を、台形歪補正パラメータが示す比率で縮小する台形歪補正を行う。台形歪補正部４０は、台形歪補正が行われた映像信号を表示部５２に供給する。
【００４０】
また、台形歪補正部４０は、ＣＰＵ３０から台形歪パラメータを受け付け、処理選択器３１から色むら補正データ７２を受け付けると、台形歪補正パラメータに応じて色むら補正データ７２に、台形歪補正とは逆の補正処理（以下「逆補正処理」と称する。）を行う。例えば、台形歪補正部４０は、台形歪補正パラメータの逆数を用いて、色むら補正データ７２の上底を台形歪補正パラメータの逆数の比率で拡大する逆補正処理を行う。
【００４１】
図５ａは、逆補正処理が行われた色むら補正データを示す図である。
【００４２】
図５ａでは、ユーザ操作により、投射画像の上底を基準値ＸａからＸｂに縮小する比率（Ｘｂ／Ｘａ）を示す台形歪補正パラメータが入力されたことを想定している。
【００４３】
台形歪補正部４０は、色むら補正データ７２を受け付けると、台形歪補正パラメータに応じて色むら補正データ７２の上底を台形補正パラメータの逆数（Ｘａ／Ｘｂ）の比率で拡大する逆補正処理を行う。台形歪補正部４０は、逆補正処理後の色むら補正データ７４をメモリ７０に記録する。
【００４４】
ＣＰＵ３０は、メモリ７０に記録された色むら補正データ７４のうち、図５ａの破線で示した水平サイズＸａの矩形部分だけを、歪補正用の色むら補正データ７３としてメモリ７０内の保持領域７５に記録する。なお、歪補正用の色むら補正データ７３は、第２の補正データと呼ぶことができる。
【００４５】
図５ｂは、図５ａに示した逆補正処理後の色むら補正データを用いて生成された歪補正用の色むら補正データを示す図である。
【００４６】
図３に戻り、処理部１０は、一般的に合成処理手段と呼ぶことができる。
【００４７】
処理部１０は、映像信号を受け付けると、メモリ７０に保持された色むら補正データ７２を映像信号に合成して、映像信号に色むら補正を行う。
【００４８】
また、ユーザ操作により台形歪補正パラメータが入力され、メモリ７０に歪補正用の色むら補正データ７３が記録されている状況では、処理部１０は、映像信号を受け付けると、メモリ７０から歪補正用の色むら補正データ７３を読み出し、その色むら補正データ７３を映像信号に合成して色むら補正を行う。
【００４９】
例えば、図４に示したように、映像信号のレベルごとに適した色むら補正データ７３の色むらデータ１〜４がメモリ７０に記録されている状況では、処理部１０は、映像信号を受け付けると、その映像信号のレベルを検出し、その検出したレベルに応じた色むらデータを映像信号に合成する。
【００５０】
処理部１０は、色むら補正が行われた映像信号を台形歪補正部４０に供給する。処理部１０から映像信号を受け付けると台形歪補正部４０は、その映像信号に台形歪補正パラメータを用いて台形歪補正を行う。
【００５１】
また、処理部１０は、ユーザ操作により入力されたＯＳＤ処理の実行指示を受け付けると、メモリ７０に保持されたＯＳＤデータ７１を映像信号に合成するＯＳＤ処理を行う。処理部１０は、ＯＳＤ処理が行われた映像信号に色むら補正を行う。
【００５２】
例えば、メモリ７０に歪補正用の色むら補正データ７３が記録されている状況では、処理部１０は、ＯＳＤ処理の実行指示を受け付けると、ＯＳＤデータを映像信号に合成し、その映像信号に歪補正用の色むら補正データ７３を合成する。
【００５３】
映像処理部１１は、例えばパソコンなどの映像信号供給装置から、映像信号を受け付けるとその映像信号に所定の映像処理を行う。例えば、アナログの映像信号を受け付けると映像処理部１１は所定の映像処理として、アナログの映像信号をデジタル信号の映像データに変換し、その映像データに解像度変換処理を行う。映像処理部１１は、解像度変換処理が行われた映像データをレベル検出部１２と合成部２０とに供給する。
【００５４】
レベル検出部１２は、一般的に検出手段と呼ぶことができる。
【００５５】
レベル検出部１２は、映像処理部１１から映像データを受け付けると映像データのレベルを検出する。例えば、レベル検出部１２は、映像データに示される映像または複数の映像のＡＰＬ（Average Picture Level）値を検出する。あるいは、レベル検出部１２は、映像データに示される画素ごと、または、所定数の画素からならブロックごとに、映像データのレベルを検出してもよい。レベル検出部１２は、映像データのレベルを示すＡＰＬ値をＣＰＵ３０に供給する。
【００５６】
ＣＰＵ３０は、レベル検出部１２からＡＰＬ値を受け付けると、映像データの補正を指示する補正指示信号を処理選択器３１に供給する。補正指示信号を受け付けると処理選択器３１は、合成部２０から出力される映像データを台形歪補正部４０に供給する。
【００５７】
また、ＣＰＵ３０は、ユーザ操作により入力されたＯＳＤ処理の実行指示を受け付けると、データ選択器２１を制御して、メモリ７０に保持されたＯＳＤデータ７１をデータ選択器２１から合成部２０に供給させる。
【００５８】
合成部２０は、一般的に合成手段と呼ぶことができる。
【００５９】
合成部２０は、映像処理部１１から映像データを受け付け、データ選択器２１からＯＳＤデータを受け付けると、映像データにＯＳＤデータを合成するＯＳＤ処理を行う。合成部２０としては、例えば、アルファブレンディング方式のＯＳＤ処理を行うアルファ演算器が用いられる。
【００６０】
図６は、ＯＳＤ処理を行う処理部１０の構成を示すブロック図である。
【００６１】
ＯＳＤ処理では、映像処理部１１と、データ選択器２１と、ＣＰＵ３０と、ＯＳＤデータ７１を保持するメモリ７０と、合成部２０として用いられるアルファ演算器２００と、が用いられる。
【００６２】
メモリ７０にはＯＳＤデータ７１として、例えば、４つのアプリケーションのそれぞれに用いられるＯＳＤプレーンのプレーンデータ１〜４が予め保持されている。
【００６３】
ＯＳＤ処理の実行指示が入力された状況において、映像処理部１１は、映像データを受け付けると、所定の映像処理が行われた映像データをアルファ演算器２００の第１入力端子Ａに供給する。
【００６４】
データ選択器２１は、ＣＰＵ３０の制御に従ってプレーンデータ１〜４の中から選択された１つのプレーンデータを、アルファ演算器２００の第２入力端子Ｂに供給する。
【００６５】
ＣＰＵ３０は、ＯＳＤ処理の実行指示を受け付けると、その実行指示にて特定されるプレーンデータを指定するＯＳＤ選択信号をデータ選択器２１に供給し、データ選択器２１は、ＯＳＤ選択信号にて指定されたプレーンデータを出力する。
【００６６】
さらにＣＰＵ３０は、映像データに合成するプレーンデータの透過率を示すアルファ値をアルファ演算器２００の第３入力端子αに供給する。
【００６７】
アルファ演算器２００は、アルファブレンディング方式のＯＳＤ処理を行う合成部２０に用いられる演算回路である。アルファ演算器２００は、第１入力端子Ａから映像データを受け付け、第２入力端子Ｂからプレーンデータを受け付け、第３入力端子αからアルファ値を受け付ける。そしてアルファ演算器２００は、アルファ値αに示された透過率でプレーンデータＢを映像データＡに合成する。
【００６８】
図７は、アルファ演算器２００の詳細構成を示す図である。
【００６９】
アルファ演算器２００は、加算器２１１と、乗算器２２１および２２２と、減算器２３１と、を備える。
【００７０】
減算器２３１は、第３入力端子からアルファ値αを受け付けると、「１」からアルファ値αを減算した減算値（１−α）を乗算器２２１に供給する。
【００７１】
乗算器２２１は、第１入力端子から映像データＡを受け付け、減算器２３１から減算値（１−α）を受け付けると、映像データＡに減算値（１−α）を乗算した第１乗算値（Ａ×（１−α））を加算器２１１に供給する。
【００７２】
乗算器２２２は、第２入力端子からプレーンデータＢを受け付け、第３入力端子からアルファ値αを受け付けると、プレーンデータＢにアルファ値αを乗算した第２乗算値（Ｂ×α）を加算器２１１に供給する。
【００７３】
加算器２１１は、乗算器２１１から第１乗算値を受け付け、乗算器２１２から第２乗算値を受け付けると、第１乗算値と第２乗算値とを加算して映像データＹを出力する。
【００７４】
よって、アルファ演算器２００は、次式を用いてＯＳＤ処理が行われた映像データＹを出力する。
【００７５】
Ｙ  ＝  Ａ×（１−α）  ＋  Ｂ×α
図３に戻り、合成部２０は、映像データにＯＳＤ処理を行うと、ＯＳＤ処理が行われた映像データに、例えば歪補正用の色むら補正データ７３を合成して色むら補正を行う。本実施形態では、合成部２０は、図７に示したアルファ演算器２００を用いて色むら補正を行う。
【００７６】
図８は、アルファ演算器２００を用いて色むら補正を行う処理部１０の構成を示すブロック図である。アルファ演算器２００以外の構成は、図３に示したものと同様であるため、同一符号を付してここでの詳細な説明を省略する。
【００７７】
メモリ７０には、歪補正用の色むら補正データ７３として、映像信号のＡＰＬ値の範囲が４段階に分けられた分割レンジごとに適した色むらデータ１〜４が予め保持されている。
【００７８】
映像処理部１１は、映像信号を受け付けると、所定の映像処理が行われた映像データをアルファ演算器２００の第２入力端子Ｂに供給する。
【００７９】
ＣＰＵ３０は、レベル検出部１２からＡＰＬ値を受け付けると、そのＡＰＬ値が含まれる分割レンジの色むらデータを指定する色むら指定信号をデータ選択器２１に供給する。
【００８０】
データ選択器２１は、色むら指定信号を受け付けると、歪補正用の色むら補正データ７３の色むらデータ１〜４の中から色むら指定信号にて指定された１つの色むらデータをアルファ演算器２００の第３入力端子αに供給する。
【００８１】
アルファ演算器２００には、第１入力端子Ａから「０」が入力され、第２入力端子Ｂから映像データが入力され、第３入力端子αから色むらデータが入力される。このため、アルファ演算器２００では、図７に示した乗算器２２２が、第２入力端子Ｂに入力された映像データに、第３入力端子αに入力された色むら補正データを乗算して映像データに色むら補正を行う。
【００８２】
図３に戻り、台形歪補正部４０は、合成部２０から処理選択器３１を介して映像データを受け付けると、映像データに台形歪補正を行う。なお、図５ｃは、図５ｂに示した色むら補正データに台形歪補正が行われた映像データを示す図である。台形歪補正部４０は、台形歪補正が行われた映像データを表示部５２に供給する。
【００８３】
光源５１は、光を発生してその光を表示部５２へ出射する。
【００８４】
表示部５２は、台形歪補正部４０から映像データを受け付けると、光源５１から出射された光を映像データに応じて変調し、その変調された画像光をスクリーンに投射する。表示部５２は、例えば、光源５１からの光を映像データに応じて変調する液晶パネルと、液晶パネルにて変調された光をスクリーンに投射するための投射レンズなどの光学素子とを備える。
【００８５】
次にプロジェクタ１が行う補正方法について説明する。
【００８６】
図９は、色むら補正データの処理方法の処理手順例を示すフローチャートである。
【００８７】
図９では、メモリ７０には、台形歪補正が行われないときの色むら補正データ７２として、図４に示した色むらデータ１〜４が保持されていることを想定する。さらにＣＰＵ３０は、ユーザ操作により入力された台形歪補正パラメータとして、台形に歪んだ投射画像の下底サイズが「Ｘａ」を示す下底パラメータと、上底サイズが「Ｘｂ／Ｘａ」を示す上底パラメータとを受け付ける。このため、台形歪補正部４０は、図５ｃに示したように、投射画像の下底のサイズをＸａのままにし、上底のサイズをＸａからＸｂに縮小する台形歪補正を行う。
【００８８】
まず、ＣＰＵ３０は、ユーザ操作により入力された台形歪補正パラメータを受け付けると、色むら補正データ７２への逆補正処理の実行を指示する逆補正指示信号を処理選択器３１に供給する。逆補正指示信号を受け付けると処理選択器３１は、データ選択器２１から出力されるデータを台形歪補正部４０に供給することが可能になる（ステップＳ９０１）。
【００８９】
また、ＣＰＵ３０は、逆補正処理を行うための台形歪補正パラメータとして、下底パラメータ（Ｘａ）と上底パラメータの逆数（Ｘａ／Ｘｂ）とを台形歪補正部４０に供給する（ステップＳ９０２）。
【００９０】
さらにＣＰＵ３０は、メモリ７０内の色むらデータ１〜４のうち色むらデータ１を指定する色むら選択信号をデータ選択器２１に供給する。その色むら選択信号を受け付けるとデータ選択器２１は、色むら選択信号にて指定された色むらデータ１を、処理選択器３１を介して台形歪補正部４０に出力する（ステップＳ９０３）。
【００９１】
台形歪補正部４０は、逆補正処理用の台形歪補正パラメータを受け付け、色むらデータ１を受け付けると、色むらデータ１に逆補正処理を行い、例えば、図５ａに示したような逆補正処理後の色むらデータ１を生成する。そして台形歪補正部４０は、逆補正処理後の色むらデータ１をメモリ７０に記録する（ステップＳ９０４）。
【００９２】
その後、ＣＰＵ３０は、逆補正処理後の色むらデータ１のうち、図５ａに示した水平サイズＸａの矩形部分だけをメモリ７０内の別の保持領域７５に歪補正用の色むらデータ１としてコピーする（ステップ９０５）。例えば、図５ｂに示した歪補正用の色むらデータ１がメモリ７０に記録される。
【００９３】
よって、プロジェクタ１にて行われる色むらデータ１の処理方法が終了する。なお、色むら補正データ７２の色むらデータ２〜４のそれぞれについても、図４に示したように、ステップＳ９０３〜Ｓ９０５と同様の処理が１つずつ順番に行われる。
【００９４】
本実施形態によれば、プロジェクタ１は、ＯＳＤデータ７１と、色むらを補正する色むら補正データ７２（第１の補正データ）と、を保持するメモリ７０と、ＯＳＤデータ７１を映像信号に合成するＯＳＤ処理を行う処理部１０と、を有する。台形歪補正部４０は、投射画面の台形歪を補正するための歪補正パラメータを受け付けると、その台形歪補正パラメータに応じて色むら補正データ７２に逆補正処理を行って歪補正用の色むら補正データ７３（第２の補正データ）としてメモリ７０に記録する。そして処理部１０は、映像信号を受け付けると、映像信号に歪補正用の色むら補正データ７３を乗算して色むら補正を行い、その後に台形歪補正部４０が、色むら補正後の映像信号に台形歪補正パラメータを用いて台形歪補正を行う。また、処理部１０は、ＯＳＤ処理の実行の指示を受け付けると、ＯＳＤデータ７１を映像信号に加算し、その映像信号に歪補正用の色むら補正データ７３を合成し、その映像信号に台形歪補正部４０が台形歪補正を行う。
【００９５】
このため、プロジェクタ１は、ＯＳＤ処理を行う処理部１０を用いて色むら補正データに映像信号を合成して色むら補正を行うことができる。よって、処理部１０では、ＯＳＤ処理と色むら補正との２つの処理が行われるので、プロジェクタ１には、ＯＳＤ処理と色むら補正とのそれぞれの処理に別個の処理回路を設ける必要がない。例えば、プロジェクタ１では、図１に示したプロジェクタ９０内の色むら補正部９４を設ける必要がない。したがって、本実施形態ではプロジェクタ１を簡易な構成にすることができる。
【００９６】
さらにプロジェクタ１では、台形歪補正部４０が、台形歪補正パラメータを受け付けると、その台形歪補正パラメータの逆数を用いて色むら補正データ７２に逆補正処理を行って歪補正用の色むら補正データ７３をメモリ７０に記録する。そして処理部１０は、映像信号を受け付けると、歪補正用の色むら補正データ７３を用いて映像信号に色むら補正を行い、その後に台形歪補正部４０が、色むら補正後の映像信号に台形歪補正を行う。
【００９７】
プロジェクタ１０では、逆補正処理が行われた色むら補正データ７３を用いて色むら補正した映像データに台形歪補正が行われるので、台形歪補正後の色むら補正データは、メモリ７０に保持された色むら補正データ７２と同じ形状となる。例えば、図５ｃに示した台形歪補正後の色むら補正データは、図２ｂに示した色むら補正データ７２と同じ形状になる。このため、プロジェクタ１は、映像信号に色むら補正を適切に行うことができる。
【００９８】
よって、プロジェクタ１では、台形歪補正よりも前にＯＳＤ処理を行う処理部１０を用いて映像信号に色むら補正を行う場合にも、色むらを補正することができる。したがって、本実施形態では、処理部１０を用いて色むらを補正しつつ、投射画面の台形歪みを補正することが可能な簡易な構成のプロジェクタを実現することができる。
【００９９】
また、本実施形態では、メモリ７０に、映像信号のレベルごとに色むら補正データ７２が保持されており、台形歪補正部４０は、色むら補正データ７２のそれぞれに逆補正処理を行って歪補正用の色むら補正データ７３のそれぞれがメモリ７０に記録される。また、処理部１０は、映像信号のレベルを検出するレベル検出部１２と合成部２０とを有し、合成部２０は、映像信号を受け付けると、歪補正用の色むら補正データ７３のうち、レベル検出部１２が検出したレベルに応じた色むら補正データを映像信号に合成する。
【０１００】
このため、プロジェクタ１は、映像信号のレベルに適した色むら補正を行うことができる。よって、表示部５２に起因する色むらをより適切に補正することができる。
【０１０１】
なお、本実施形態では台形歪補正処理の一例として、投射画面の水平方向に歪んだ投射画面の台形歪みを補正する垂直台形歪み補正処理について説明したが、垂直方向に歪んだ投射画面の台形歪みを補正する水平台形歪補正を行うプロジェクタにも本発明を適用することができる。
【０１０２】
以上説明した実施形態において、図示した構成は単なる一例であって、本発明はその構成に限定されるものではない。
【符号の説明】
【０１０３】
１  プロジェクタ
１０  処理部
１１  映像処理部
１２  レベル検出部
２０  合成部
２１  データ選択器
３０  ＣＰＵ
３１  処理選択器
４０  台形歪補正部
５１  光源
５２  表示部
７０  メモリ
２００  アルファ演算器
２１１  加算器
２２１、２２２  乗算器
２３１  減算器
【図１】
2012160691.tif 000003
【図２ａ】
2012160691.tif 000004
【図２ｂ】
2012160691.tif 000005
【図２ｃ】
2012160691.tif 000006
【図３】
2012160691.tif 000007
【図４】
2012160691.tif 000008
【図５ａ】
2012160691.tif 000009
【図５ｂ】
2012160691.tif 000010
【図５ｃ】
2012160691.tif 000011
【図６】
2012160691.tif 000012
【図７】
2012160691.tif 000013
【図８】
2012160691.tif 000014
【図９】
2012160691.tif 000015
【国際調査報告】
2012160691.tif 000016
2012160691.tif 000017
2012160691.tif 000018
2012160691.tif 000019